【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
芯材となる第１の炭素材料と、該第１の炭素材料の表面を覆う第２の炭素材料とを有し、前記第２の炭素材料がホウ素を含有していることを特徴とする炭素材料。
【請求項２】
前記第１の炭素材料がホウ素を含有していないことを特徴と
する請求項１記載の炭素材料。
【請求項３】
前記第１の炭素材料のＸ線広角回折法による（００２）面の面間隔（ｄ002）が３．３５Å以上、３．３８Å以下であり、かつｃ軸方向の結晶子の大きさ（Ｌｃ）が３００Å以上であることを特徴とする請求項１又は２記載の炭素材料。
【請求項４】
前記第１の炭素材料のＸ線広角回折法による（００２）面の面間隔（ｄ002）が３．３５Å以上、３．３６Å以下であり、かつｃ軸方向の結晶子の大きさ（Ｌｃ）が１０００Å以上であることを特徴とする請求項１又は２記載の炭素材料。
【請求項５】
前記第２の炭素材料のＸ線広角回折法による（００２）面の面間隔（ｄ002）が３．３７Å以上、３．９０Å以下であることを特徴とする請求項１、２、３又は４記載の炭素材料。
【請求項６】
前記第２の炭素材料におけるホウ素の含有量が１重量％以上、１５重量％以下であることを特徴とする請求項１、２、３、４又は５記載の炭素材料。
【請求項７】
前記第２の炭素材料におけるホウ素の含有量が５重量％以上、１０重量％以下であることを特徴とする請求項１、２、３、４又は５記載の炭素材料。
【請求項８】
前記第１の炭素材料と前記第２の炭素材料との和に対する前記第２の炭素材料の量が１重量％以上、２０重量％以下であることを特徴とする請求項１、２、３、４、５、６又は７記載の炭素材料。
【請求項９】
前記第１の炭素材料と前記第２の炭素材料との和に対する前記第２の炭素材料の量が５重量％以上、１０量％以下であることを特徴とする請求項１、２、３、４、５、６又は７記載の炭素材料。
【請求項１０】
前記第１の炭素材料と前記第２の炭素材料との和に対する
前記第２の炭素材料中のホウ素の含有量が０．０１重量％以上、３重量％以下であることを特徴とする請求項１、２、３、４、５、６、７、８又は９記載の炭素材料。
【請求項１１】
前記第１の炭素材料と前記第２の炭素材料との和に対する前記第２の炭素材料中のホウ素の含有量が０．２５重量％以上、１重量％以下であることを特徴とする請求項１、２、３、４、５、６、７、８又は９記載の炭素材料。
【請求項１２】
芯材となる第１の炭素材料と、該第１の炭素材料の表面を覆う第２の炭素材料とを有し、前記第２の炭素材料がホウ素及び窒素を含有していることを特徴とする炭素材料。
【請求項１３】
前記第１の炭素材料がホウ素及び窒素を含有していないことを特徴とする請求項１２記載の炭素材料。
【請求項１４】
前記第１の炭素材料のＸ線広角回折法による（００２）面の面間隔（ｄ002）が３．３５Å以上、３．３８Å以下であり、かつｃ軸方向の結晶子の大きさ（Ｌｃ）が３００Å以上であることを特徴とする請求項１２又は１３記載の炭素材料。
【請求項１５】
前記第１の炭素材料のＸ線広角回折法による（００２）面の面間隔（ｄ002）が３．３５Å以上、３．３６Å以下であり、かつｃ軸方向の結晶子の大きさ（Ｌｃ）が１０００Å以上であることを特徴とする請求項１２又は１３記載の炭素材料。
【請求項１６】
前記第２の炭素材料のＸ線広角回折法による（００２）面の面間隔（ｄ002）が３．３７Å以上、３．９０Å以下であることを特徴とする請求項１２、１３、１４又は１５記載の炭素材料。
【請求項１７】
前記第２の炭素材料におけるホウ素の含有量が１重量％以上、１５重量％以下であることを特徴とする請求項１２、１３、１４、１５又は１６記載の炭素材料。
【請求項１８】
前記第２の炭素材料におけるホウ素の含有量が５重量％以上、１０重量％以下であることを特徴とする請求項１２、１３、１４、１５又は１６記載の炭素材料。
【請求項１９】
前記第２の炭素材料における窒素の含有量が１重量％以上、１０重量％以下であることを特徴とする請求項１２、１３、１４、１５、１６、１７又は１８記載の炭素材料。
【請求項２０】
前記第２の炭素材料における窒素の含有量が３重量％以上、５重量％以下であることを特徴とする請求項１２、１３、１４、１５、１６、１７又は１８記載の炭素材料。
【請求項２１】
前記第１の炭素材料と前記第２の炭素材料との和に対する前記第２の炭素材料の量が１重量％以上、２０重量％以下であることを特徴とする請求項１２、１３、１４、１５、１６、１７、１８、１９又は２０記載の炭素材料。
【請求項２２】
前記第１の炭素材料と前記第２の炭素材料との和に対する前記第２の炭素材料の量が５重量％以上、１５重量％以下であることを特徴とする請求項１２、１３、１４、１５、１６、１７、１８、１９又は２０記載の炭素材料。
【請求項２３】
前記第１の炭素材料と前記第２の炭素材料との和に対する
前記第２の炭素材料中のホウ素の含有量が０．０１重量％以上、３重量％以下であることを特徴とする請求項１２、１３、１４、１５、１６、１７、１８、１９、２０、２１又は２２記載の炭素材料。
【請求項２４】
前記第１の炭素材料と前記第２の炭素材料との和に対する
前記第２の炭素材料中のホウ素の含有量が０．２５重量％以上、１．５重量％以下であることを特徴とする請求項１２、１３、１４、１５、１６、１７、１８、１９、２０、２１又は２２記載の炭素材料。
【請求項２５】
前記第１の炭素材料と前記第２の炭素材料との和に対する
前記第２の炭素材料中の窒素の含有量が０．０１重量％以上、２重量％以下であることを特徴とする請求項１２、１３、１４、１５、１６、１７、１８、１９、２０、２１、２２、２３又は２４記載の炭素材料。
【請求項２６】
前記第１の炭素材料と前記第２の炭素材料との和に対する
前記第２の炭素材料中の窒素の含有量が０．１５重量％以上、０．７５重量％以下であることを特徴とする請求項１２、１３、１４、１５、１６、１７、１８、１９、２０、２１、２２、２３又は２４記載の炭素材料。
【請求項２７】
請求項１、２、３、４、５、６、７、８、９、１０、１１、１２、１３、１４、１５、１６、１７、１８、１９、２０、２１、２２、２３、２４、２５又は２６記載の炭素材料を活物質として用いたことを特徴とする電極。
【請求項２８】
請求項２７記載の電極を負極として用いたことを特徴とする非水電解質二次電池。
【請求項２９】
請求項２７記載の電極からなる負極と、リチウム含有複合酸化物を主材とする正極とを備えたことを特徴とする非水電解質二次電池。
【手続補正２】
【補正対象書類名】明細書
【補正対象項目名】００９２
【補正方法】変更
【補正の内容】
【００９２】
ホウ素及び窒素含有炭素材料で表面を被覆した炭素材料の製造
ホウ素及び窒素含有炭素材料で表面を被覆した炭素材料は、芯材となる第１の炭素材料を、ホウ素化合物と窒素化合物を添加した炭化可能な有機化合物に浸漬させ、有機化合物から分離した後、５００℃以上、１８００℃以下、好ましくは７００℃以上、１４００℃以下で炭化することにより製造できる。


【手続補正３】
【補正対象書類名】明細書
【補正対象項目名】００９９
【補正方法】変更
【補正の内容】
【００９９】
第２の発明の炭素材料中のホウ素の含有量については、第1の炭素材料と第２の炭素材料との合計に対して、０．０１重量％以上、３重量％以下の範囲が好ましく、０．２５重量％以上、１．５重量％以下の範囲がより好ましい。また、芯材の表面を被覆する第２の炭素材料のホウ素含有量は、１重量％以上、１５重量％以下の範囲が好ましく、５重量％以上、１０重量％以下の範囲がより好ましい。


【手続補正４】
【補正対象書類名】明細書
【補正対象項目名】０１０１
【補正方法】変更
【補正の内容】
【０１０１】
芯材の表面を被覆する第２の炭素材料の被覆量
また、芯材の表面を被覆する第２の炭素材料の量が、第２の発明の炭素材料の全炭素材料に対して１重量％以上、２０重量％以下の範囲であることが好ましく、５重量％以上、１５重量％以下の範囲がより好ましい。尚、被覆量は、芯材となる第１の炭素材料を有機化合物に浸漬する際の浸漬時間、浸漬回数を調節することにより制御できる。


【手続補正５】
【補正対象書類名】明細書
【補正対象項目名】０１０７
【補正方法】変更
【補正の内容】
【０１０７】
＜実験６＞
ホウ素及び窒素含有の第２の炭素材料により第１の炭素材料よりなる芯材の表面を被覆した第２の発明の炭素材料を用いた電極の特性について検討を行った。